【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
指定されたパラメータを有するバイナリオプションを取引所に上場させる要求を取引コンピュータ装置から受信するステップであって、前記要求の前記受信時に前記バイナリオプションは前記取引所に上場しておらず、少なくとも１つのパラメータが満了時を明らかにする、ステップと、
前記要求を受け取ることに応答し、前記バイナリオプションに対する入札および付け値を複数の潜在的なマーケットメーカーから募るステップと、
前記複数のマーケットメーカーから受け取った入札および付け値に基づき、初期価格を前記入札のうちの最高入札および前記付け値のうちの最低付け値に設定した状態で、前記バイナリオプションを前記取引所に初期に上場させるステップであって、前記最高入札が第１のマーケットメーカーからであり、前記最低付け値が第２のマーケットメーカーからである、ステップと、
それぞれの買主と売主との間のそれぞれのバイナリオプション契約を発生させるために、前記入札および前記付け値を前記取引所がマッチさせるステップであって、それぞれのバイナリオプション契約を発生させることは、基準価格が行使価格を上回る場合、前記満了時に買主が売主に所定額を支払うことを義務付ける契約を形成することを含む、ステップと、
前記それぞれのバイナリオプション契約を前記満了時に決済することを促進するための情報を、前記取引所が送信するステップと、
を含む方法。
【請求項２】
各入札が、特定のバイナリオプション契約を発生させるために前記買主が支払う前記額の買主部分を含み、各付け値が、前記特定のバイナリオプション契約を発生させるために前記売主が支払う前記額の売主部分を含む、請求項１に記載の方法。
【請求項３】
前記買主部分と前記売主部分とを合計すると前記額になり、前記額は、前記満了時まで前記取引所が保持する、請求項２に記載の方法。
【請求項４】
決済するステップが、前記基準価格を前記行使価格と比較することに基づき、前記買主および前記売主の少なくとも一方に前記額を与えるステップを含む、請求項３に記載の方法。
【請求項５】
決済するステップが、投機家からの決済要求なしに、前記満了時が生じることに応答して自動で実行される、請求項１に記載の方法。
【請求項６】
投機家が、前記投機家に関連する前記取引所が利用できる担保額に基づくリスク額を超えるものを負うことを防止するステップであり、前記リスクは、前記投機家が締結したバイナリオプション契約に基づき前記投機家が支払う責任を負う場合がある前記額に基づく、請求項１に記載の方法。
【請求項７】
前記投機家が提出した注文を実行することが、前記リスク額よりも多くのリスクを前記投機家に負わせることを決定するステップと、
前記決定に応答し、前記リスク額までの前記注文の一部を実行するステップと
を含む、請求項６に記載の方法。
【請求項８】
前記投機家によって取得されるバイナリオプション契約ポジションを相殺することに基づき、前記投機家のリスクを相殺するステップを含む、請求項６に記載の方法。
【請求項９】
前記バイナリオプションを前記取引所に上場させるステップが、複数の投機家が前記バイナリオプションに関連する注文を行った時に、前記取引所が認識可能な一意の識別名を生成するステップを含む、請求項１に記載の方法。
【請求項１０】
前記満了時が、２分離れて、前記取引所に前記要求が提出される時点を形成する、請求項１に記載の方法。
【請求項１１】
生じたバイナリオプション契約の二次取引を促進するステップを含む、請求項１に記載の方法。
【請求項１２】
前記コンピューティング装置により、受け取った第１の情報を用いてバイナリオプションインターフェイスを埋めるステップと、
前記コンピューティング装置により、期間の調節に対応する第１のコントロールの第１の作動を受け取るステップと、
前記第１の作動に応答し、前記コンピューティング装置により、前記バイナリオプション取引所から第２の情報を受け取るステップであって、前記第２の情報は、バイナリオプション契約の第２の組に関する第２の行使価格、第２の最良入札、および第２の最良付け値を含み、前記第２の組には、前記調節された期間内のそれぞれの第２の決済時を有する第２の組が含まれる、ステップと、
前記第１の作動に応答し、前記コンピューティング装置により、前記第１の情報より前記第２の情報を含むように前記バイナリオプションインターフェイスを調節するステップと、
前記コンピューティング装置により、前記行使価格の範囲の調節に対応する第２のコントロールの第２の作動を受け取るステップと、
前記第２の作動に応答し、前記コンピューティング装置により、前記バイナリオプション取引所から第３の情報を受け取るステップであって、前記第３の情報は、バイナリオプション契約の第３の組に関する第３の行使価格、第３の最良入札、および第３の最良付け値を含み、前記第３の組には、前記調節された期間内のそれぞれの第３の決済時、および前記調節された行使価格の範囲内のそれぞれの第３の行使価格を有する第３の組が含まれる、ステップと、
前記第２の作動に応答し、前記コンピューティング装置により、前記受信された第１の情報及び第２の情報より前記第３の情報を含むように前記バイナリオプションインターフェイスを調節するステップと、
前記コンピューティング装置により、前記第３の組の中の特定のバイナリオプション契約に関連する、前記バイナリオプションインターフェイスの買いコントロールの第３の作動を受け取るステップであって、前記買いコントロールは、前記第３の情報に基づき、前記特定のバイナリオプション契約の特定の行使価格および買値を明らかにする、ステップと、
前記第３の作動を受け取ることに応答し、前記コンピューティング装置により、前記特定のバイナリオプション契約の所望の量を買う注文を前記取引所に提出するステップと
を含む方法。
【請求項１３】
前記買値は、特定のバイナリオプション契約を発生させるために前記第３の作動を行った投機家が支払う必要がある、前記特定のバイナリオプション契約の額を含む、請求項１２に記載の方法。
【請求項１４】
前記特定のバイナリオプション契約を発生させるために、対応する売値が売主によって支払われる必要があり、前記買値と前記売値とを合計すると前記額になる、請求項１３に記載の方法。
【請求項１５】
特定の満了時に前記原資産商品が前記特定の行使価格よりも高い価格を有するので、前記特定の満了時に前記特定のバイナリオプション契約の決済に基づく前記額を受け取るステップを含む、請求項１４に記載の方法。
【請求項１６】
前記量を買うと前記取引所が確認した担保額に関連するリスク閾値を超過するという指示を前記取引所から受け取るステップであって、前記指示は、前記リスク閾値を超過しない前記量の額に関する取引が履行されていることを明らかにする、受け取るステップ
を含む、請求項１２に記載の方法。
【請求項１７】
前記特定のバイナリオプション契約には、前記コンピューティング装置から伝送される前記特定のバイナリオプション契約を上場させるための要求に応答し、前記取引所に上場されるバイナリオプション契約が含まれる、請求項１２に記載の方法。
【請求項１８】
前記第１の情報より前記第２の情報を含むように前記バイナリオプションインターフェイスを調節するステップは、前記第２の情報を用いて前記バイナリオプションインターフェイスを埋めるステップを含む、請求項１２に記載の方法。